(57)【要約】【課題】本発明は、装置全体の状況に応じてＬＣＤ付きタッチパッド装置の消費電力を抑えることが可能な情報処理装置及び表示制御方法を提供する。【解決手段】制御プログラム３００は、外部イベント情報を取得し、第１イベントあるいは第２イベントの項目が発生したかを判断する（ＳＴ１１）。カレントテーブル３０３と異なる状態の第１あるいは第２イベントが発生すると、発生した第１あるいは第２イベントを現在のイベントとしてカレントテーブル３０３に格納する（ＳＴ１５）。そして、ｃＰａｄ設定テーブル３０１を参照して、現在の第１及び第２イベント情報に対応するｃＰａｄ設定内容を取得し、カレントテーブル３０３を更新して、ｃＰａｄ２０の輝度もしくは動作の変更するよう制御する（ＳＴ１８）。【選択図】　図７
2004110456.tif 000002
【特許請求の範囲】
【請求項１】
各種アプリケーションプログラムを処理する情報処理装置において、
当該情報処理装置における各種処理の情報を表示する主表示装置と、
各種情報を入力するための入力装置を一体に設け、当該情報処理装置における各種処理の情報を表示する副表示装置と、
当該情報処理装置の状態に応じて電力消費を低く抑えるよう前記副表示装置の状態を変更する変更手段と、
を有することを特徴とする情報処理装置。
【請求項２】
前記変更手段は、当該情報処理装置の状態に応じて前記副表示装置の輝度を変更することを特徴とする請求項１記載の情報処理装置。
【請求項３】
前記変更手段は、
当該情報処理装置の状態に対応させて前記副表示装置の輝度を段階的に設定する手段と、
この設定手段によって設定された内容に応じて、当該情報処理装置の状態にあわせて前記副表示装置の輝度を段階的に変更するよう制御する制御手段と、
を有することを特徴とする請求項２記載の情報処理装置。
【請求項４】
前記主表示装置の開閉状態を検知する開閉検知部を有しており、
前記変更手段は、この開閉検知部からの開閉検知信号に応じて電力消費を低く抑えるよう前記副表示装置の状態を変更することを特徴とする請求項１記載の情報処理装置。
【請求項５】
当該情報処理装置がバッテリ駆動の際にバッテリの残量を検知する電源検知手段を有しており、
前記変更手段は、この電源検知手段により検知されたバッテリ残量に応じて電力消費を低く抑えるよう前記副表示装置の状態を変更することを特徴とする請求項１記載の情報処理装置。
【請求項６】
当該情報処理装置がバッテリ駆動であるか、ＡＣ電源駆動であるかを検知する電源検知手段と、
駆動電源以外の当該情報処理装置の状態を検知する状態検知手段と、
を有しており、
前記変更手段は、前記電源検知手段及び前記状態検知手段の検知結果に応じて電力消費を低く抑えるよう前記副表示装置の状態を変更することを特徴とする請求項１記載の情報処理装置。
【請求項７】
前記変更手段は、当該情報処理装置の状態に応じて前記副表示装置の表示を継続するか表示しないか変更することを特徴とする請求項１記載の情報処理装置。
【請求項８】
各種アプリケーションプログラムを処理する情報処理装置において、
当該情報処理装置における各種処理の情報を表示する主表示装置と、
当該情報処理装置の状態に応じて電力消費を低く抑えるよう前記主表示装置の状態を変更する第１の変更手段と、
各種情報を入力するための入力装置を一体に設け、当該情報処理装置における各種処理の情報を表示する副表示装置と、
前記第１の変更手段による変更動作に同期して、電力消費を低く抑えるよう前記副表示装置の状態を変更する第２の変更手段と、
を有することを特徴とする情報処理装置。
【請求項９】
当該情報処理装置の状態に応じて電力消費を低く抑えるよう前記副表示装置の状態を変更する第３の変更手段と、
前記第２の変更手段による変更処理と、前記第３の変更手段による変更処理のいずれかを設定する手段と、
を有することを特徴とする請求項８記載の情報処理装置。
【請求項１０】
各種アプリケーションプログラムを処理し、この各種処理の情報を表示する主表示装置と、各種情報を入力するための入力装置を一体に設け、当該情報処理装置における各種処理の情報を表示する副表示装置とを有する情報処理装置の表示制御方法において、
当該情報処理装置の状態に応じて電力消費を低く抑えるよう前記副表示装置の状態を変更することを特徴とする表示制御方法。
【請求項１１】
前記主表示装置の開閉状態を検知するステップと、
この開閉検知信号に応じて電力消費を低く抑えるよう前記副表示装置の状態を変更するステップと、
を有することを特徴とする請求項１０記載の表示制御方法。
【請求項１２】
当該情報処理装置がバッテリ駆動の際にバッテリの残量を検知するステップと、
この検知ステップにより検知されたバッテリ残量に応じて電力消費を低く抑えるよう前記副表示装置の状態を変更するステップと、
を有することを特徴とする請求項１０記載の表示制御方法。
【請求項１３】
当該情報処理装置がバッテリ駆動であるか、ＡＣ電源駆動であるかを検知するステップと、
駆動電源以外の当該情報処理装置の状態を検知するステップと、
前記電源検知ステップと前記状態検知ステップの検知結果に応じて電力消費を低く抑えるよう前記副表示装置の状態を変更するステップと、
を有することを特徴とする請求項１０記載の表示制御方法。
【請求項１４】
当該情報処理装置の状態に対応させて前記副表示装置の輝度を段階的に設定するステップと、
この設定ステップによって設定された内容に応じて、当該情報処理装置の状態にあわせて前記副表示装置の輝度を段階的に変更するステップと、
を有することを特徴とする請求項１０記載の表示制御方法。
【請求項１５】
各種アプリケーションプログラムを処理し、この各種処理の情報を表示する主表示装置と、各種情報を入力するための入力装置を一体に設け、当該情報処理装置における各種処理の情報を表示する副表示装置とを有する情報処理装置の表示制御方法において、
当該情報処理装置の状態に応じて電力消費を低く抑えるよう前記主表示装置の状態を変更する第１の変更ステップと、
この第１の変更ステップによる変更動作に同期して、電力消費を低く抑えるよう前記副表示装置の状態を変更する第２の変更ステップと、
を有することを特徴とする表示制御方法。
【発明の詳細な説明】
【０００１】
【発明の属する技術分野】
本発明は、複数の表示部を有する情報処理装置に関し、特にこの複数の表示部の省電力機能に関する。
【０００２】
【従来の技術】
近年、情報処理装置やソフトウェアの高度化に伴い、ユーザに提供する情報量も飛躍的に増加しており、表示装置の大型化や高精細化、更には複数の表示装置を有する情報処理装置が登場してきている。
【０００３】
例えば従来の技術として、特開２００２−１３２４０９号公報には、メインの表示デバイスと、このメインの表示デバイスとは別のＬＣＤに積層された透明のタッチパネルからなるタッチパッド入力部とを有するパーソナルコンピュータの構成が開示されている。
【０００４】
【特許文献１】
特開２００２−１３２４０９号公報
【０００５】
【発明が解決しようとする課題】
しかしながら、従来の装置では、メインの表示デバイスには状況に応じてメインのＬＣＤの状態を変更して消費電力を抑える機構を有しているが、メインの表示デバイスとは別のタッチパッド入力部のＬＣＤ画面については何ら考慮されていなかった。更に、このタッチパッド入力部にはバックライトが装備されることもあり、通常のタッチパッド装置と比較すると、消費電力が高くなる傾向にあり、消費電力を抑える必要性があった。
【０００６】
本発明は、以上の点に鑑みなされたもので、装置全体の状況に応じてＬＣＤ付きタッチパッド装置の消費電力を抑えることが可能な情報処理装置及び表示制御方法を提供することを目的とする。
【０００７】
【課題を解決するための手段】
上記目的を達成するために、本発明の情報処理装置は、各種アプリケーションプログラムを処理する情報処理装置において、当該情報処理装置における各種処理の情報を表示する主表示装置と、各種情報を入力するための入力装置を一体に設け、当該情報処理装置における各種処理の情報を表示する副表示装置と、当該情報処理装置の状態に応じて電力消費を低く抑えるよう前記副表示装置の状態を変更する変更手段と、を有することを特徴とする。
【０００８】
上記目的を達成するために、本発明の情報処理装置は、各種アプリケーションプログラムを処理する情報処理装置において、当該情報処理装置における各種処理の情報を表示する主表示装置と、当該情報処理装置の状態に応じて電力消費を低く抑えるよう前記主表示装置の状態を変更する第１の変更手段と、各種情報を入力するための入力装置を一体に設け、当該情報処理装置における各種処理の情報を表示する副表示装置と、前記第１の変更手段による変更動作に同期して、電力消費を低く抑えるよう前記副表示装置の状態を変更する第２の変更手段と、を有することを特徴とする。
【０００９】
上記目的を達成するために、本発明の表示制御方法は、各種アプリケーションプログラムを処理し、この各種処理の情報を表示する主表示装置と、各種情報を入力するための入力装置を一体に設け、当該情報処理装置における各種処理の情報を表示する副表示装置とを有する情報処理装置の表示制御方法において、当該情報処理装置の状態に応じて電力消費を低く抑えるよう前記副表示装置の状態を変更することを特徴とする。
【００１０】
上記目的を達成するために、本発明の表示制御方法は、各種アプリケーションプログラムを処理し、この各種処理の情報を表示する主表示装置と、各種情報を入力するための入力装置を一体に設け、当該情報処理装置における各種処理の情報を表示する副表示装置とを有する情報処理装置の表示制御方法において、当該情報処理装置の状態に応じて電力消費を低く抑えるよう前記主表示装置の状態を変更する第１の変更ステップと、この第１の変更ステップによる変更動作に同期して、電力消費を低く抑えるよう前記副表示装置の状態を変更する第２の変更ステップと、を有することを特徴とする。
【００１１】
【発明の実施の形態】
以下、本発明に係る実施の形態について図面を参照して詳細に説明する。
【００１２】
図１は、本発明の一実施の形態に係る情報処理装置としてのノート型パーソナルコンピュータＡ（以下ノート型パソコンと称す）の斜視図である。
【００１３】
ノート型パソコンＡの本体１は樹脂製の上ケース２および樹脂製の下ケース３を有している。本体１の上面にはキーボード９が搭載されている。本体１の上面前部（キーボード９の前側）はユーザがキーボード９へのデータ入力の際に掌を置くためのアームレスト７が形成される。
【００１４】
本体１の後部には一対のヒンジ部５ａ、５ｂを介して主表示装置４が開位置と閉位置との間を回動自在に接続されている。主表示装置４にはデータを表示するための主表示手段としての高解像度の液晶ディスプレイ（以下メインＬＣＤと略す）６が組み込まれている。
【００１５】
また、アームレスト７のほぼ中央部には、表示一体型のポインティングデバイスとして用いられる副操作部としてのｃＰａｄ２０が配置されており、副表示装置としての低解像度のディスプレイ（以下サブＬＣＤ）１１２ｂが設けられている。このｃＰａｄ２０は、主表示装置４を閉じた場合、キーボード９と共に主表示装置４によって覆われ、主表示装置４を開かないと使用することができないよう配置されている。
【００１６】
また、ノート型パソコンＡの本体１の奥手側には、本パソコンＡの電源をオン／オフするためのパワーボタン１１と、主表示装置４の開閉を検知する開閉検知部１２とが設けられている。
【００１７】
図２は、図１に示したノート型パソコンＡのシステム構成を示すブロック図である。
【００１８】
このノート型パソコンＡは、図示するように、ＣＰＵ２０１、ホストブリッジ２０２、主メモリ２０３、グラフィックスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、電源コントローラ２１３、及びＢＩＯＳ−ＲＯＭ２１５等が設けられている。
【００１９】
ＣＰＵ２０１は、ノート型パソコンＡの動作を制御するために設けられたもので、ＨＤＤ２０８から主メモリ２０３にロードされたオペレーションシステムおよびアプリケーションプログラム／ユーティリティプログラム、更に後述する図６に示す表示切替制御に関するプログラムを実行する。
【００２０】
ホストブリッジ２０２は、ＣＰＵ２０１のローカルバスとＰＣＩバス１００との間を双方向で接続するブリッジデバイスである。グラフィックスコントローラ２０４は本パソコンＡのメインＬＣＤ６を制御する。
【００２１】
Ｉ／Ｏコントローラ２０７はＨＤＤ２０８、ＣＤ−ＲＯＭ２０９等を制御する。ＰＣＩ−ＩＳＡブリッジ２０６はＰＣＩバス１００とＩＳＡバス２００を双方向で接続するブリッジデバイスであり、ここには例えばシステムタイマ、ＤＭＡコントローラ、割り込みコントローラなどの各種システムデバイスも内蔵されている。
【００２２】
ＵＳＢコントローラ２１０には、上述したｃＰａｄ２０が接続されている。このｃＰａｄ２０は、タッチパッド１１２ａと、副表示装置としてのサブＬＣＤ１１２ｂと、バックライト１１２ｃとが一体化され、レフト（左）ボタン１１３ａ、ライト（右）ボタン１１３ｂ、及びミドル（中）ボタン１１３ｃを含んで構成される。
【００２３】
ＥＣ／ＫＢＣ２１１は、電力管理のためのエンベデッドコントローラ（ＥＣ）とキーボード９を制御するためのキーボードコントローラ（ＫＢＣ）とが集積された１チップマイクロコンピュータである。
【００２４】
このＥＣ／ＫＢＣ２１１は、電源コントローラ２１３が接続されており、ノート型パソコンＡの各構成へ電源を供給するよう制御すると共に、バッテリ駆動であるかＡＣ電源駆動であるかを検知する電源検知機能も有している。
【００２５】
このＥＣ／ＫＢＣ２１１は、電源コントローラ２１３と協同して、ユーザによるパワーボタン１１の操作に応じて本パソコンＡをパワーオン／パワーオフする機能を有している。また、開閉検知部１２からの検出信号に基づいて、電源コントローラ２１３と協同して、メインＬＣＤ６やｃＰａｄ２０への電力供給を制御する省電力機能を有している。
【００２６】
ＢＩＯＳ−ＲＯＭ２１５には、ＢＩＯＳが格納されている。このＢＩＯＳは本システム内のハードウェアコンポーネントを制御するためのプログラムである。このＢＩＯＳには、システムタイマから時間情報を読み取る機能なども含まれている。
【００２７】
図３は、主要部における表示制御の動作を説明するプログラム構成図である。ここでは、後述する図４に示すｃＰａｄ２０のサブＬＣＤ１１２ｂの各種状況に応じた表示設定内容をはじめとするｃＰａｄ２０の機能を設定するｃＰａｄ設定テーブル３０１、ｃＰａｄ設定テーブル３０１の設定内容に従ってサブＬＣＤ１１２ｂの制御を行う制御手段及び変更手段を構成する制御プログラム３００、ＧＵＩによりｃＰａｄ設定テーブル３０１を作成・変更するｃＰａｄ設定プログラム３１１、およびｃＰａｄ２０を構成要素としている。
【００２８】
本実施例では、制御プログラム３００は、ｃＰａｄ２０の表示切替状況を示すカレントテーブル３０３を有し、キーボード９、開閉検知部１２、更には電源コントローラ２１３等の外部イベント検知装置からの信号やメインＬＣＤ設定テーブル３０２の状態に応じて、ｃＰａｄ設定テーブル３０１を参照し、ｃＰａｄ２０の表示切替制御を実行する。
【００２９】
また、制御プログラム３００は、メインＬＣＤ設定テーブル３０２を参照し、後述するように、ｃＰａｄ２０の表示をメインＬＣＤの表示切替と同調させて、同じ表示状態に切替制御する。
【００３０】
また、本実施例では、ｃＰａｄ設定プログラム３１１は、図５に示すｃＰａｄのＬＣＤ切替設定画面を用いて、ユーザによって選択された設定内容に、ｃＰａｄ設定テーブル３０１の表示切替内容を変更する。
【００３１】
図４は、ｃＰａｄ設定テーブル３０１におけるサブＬＣＤ１１２ｂの表示設定内容を示す図である。本実施例では、外部イベント検知装置からのイベント検知信号やメインＬＣＤ６の状態に応じて、予め複数の段階的な表示設定内容が記憶されている。
【００３２】
図４に示すｃＰａｄ設定テーブル３０１は、インデックス情報を格納領域３１に、第１イベント情報を格納領域３２に、第２イベント情報を格納領域３３に、ｃＰａｄ設定内容情報を格納領域３４に格納する。第１イベント情報は、電源コントローラ２１３からの電源供給状況に応じて、インデックス１からインデックス３の３段階の状況に設定される。
【００３３】
インデックス１の第１イベント情報である「バッテリ残量７５％」はバッテリ駆動でかつバッテリ残量７５％以上の場合を示し、インデックス２の第１イベント情報である「バッテリ残量５０％」はバッテリ駆動でかつバッテリ残量５０％以上７５％未満の場合を示し、インデックス３の第１イベント情報である「ＡＣ駆動」はＡＣ電源による駆動の場合を示している。
【００３４】
そして、各インデックスの第１イベント情報は、外部イベント検知装置からの信号やメインＬＣＤ設定テーブル３０２の状態に応じて、更に、４段階の第２イベント情報によって場合分けされて設定される。
【００３５】
本実施例では、第２イベント情報として、各インデックスの第１イベントの状態を、「通常使用または復帰時」「無使用状態開始」「スクリーンセーバ起動」「メインＬＣＤのクローズ（閉状態）」の４段階の状態に場合分けしている。
【００３６】
第２イベント情報の「通常使用または復帰時」は、外部イベント検知装置やメインＬＣＤ設定テーブル３０２に基づいてノート型パソコンＡが通常に使用されている、あるいは使用されるため各種機能を復帰させた状態である場合を示している。
【００３７】
第２イベント情報の「無使用状態開始」は、外部イベント検知装置やメインＬＣＤ設定テーブル３０２に基づいて使用されなくなった状態を示している。第２イベント情報の「スクリーンセーバ起動」はメインＬＣＤ設定テーブル３０２に基づいてメインＬＣＤ６においてスクリーンセーバが起動・表示されている状態を示している。第２イベント情報の「メインＬＣＤのクローズ（閉状態）」は開閉検知部１２に基づいて主表示装置４が閉じられている状態を示している。
【００３８】
そして、図４に示すｃＰａｄ設定テーブル３０１では、インデックス１は、第１イベント情報が「バッテリ残量７５％」の場合で、かつ第２イベント情報が「通常使用または復帰時」の時には、ｃＰａｄ設定内容は「輝度４」に、第２イベント情報が「無使用状態開始」の時にはｃＰａｄ設定内容は「２分」（即ち蒸し様状態開始から２分間が経過したらサブＬＣＤ１１２ｂを消した状態とする）に、第２イベント情報が「スクリーンセーバ起動」の時にはｃＰａｄ設定内容は「輝度２」に、第２イベント情報が「メインＬＣＤのクローズ」の時にはｃＰａｄ設定内容は「（状態変更）なし」に設定されている。
【００３９】
インデックス２は第１イベント情報が「バッテリ残量５０％」の場合で、かつ第２イベント情報が「通常使用または復帰時」の時にはｃＰａｄの設定内容は「輝度１」に、第２イベント情報が「無使用状態開始」の時にはｃＰａｄの設定内容は「１分」（即ち蒸し様状態開始から１分間が経過したらサブＬＣＤ１１２ｂは表示しない状態とする）に、第２イベント情報が「スクリーンセーバ起動」の時にはｃＰａｄの設定内容は「表示しない」に、第２イベント情報が「メインＬＣＤのクローズ」の時にはｃＰａｄの設定内容は「表示しない」に設定されている。
【００４０】
インデックス３は第１イベント情報が「ＡＣ駆動」の場合で、かつ第２イベント情報が「通常使用または復帰時」の時にはｃＰａｄの設定内容は「輝度４」に、第２イベント情報が「無使用状態開始」の時にはｃＰａｄの設定内容は「１分」（即ち蒸し様状態開始から１分間が経過したらサブＬＣＤ１１２ｂを消した状態とする）に、第２イベント情報が「スクリーンセーバ起動」の時にはｃＰａｄの設定内容は「輝度４」に、第２イベント情報が「メインＬＣＤのクローズ」の時にはｃＰａｄの設定内容は「（状態変更）なし」に設定されている。
【００４１】
そして、これらの第１及び第２イベント時にｃＰａｄ２０のサブＬＣＤ１１２ｂの表示切替制御の設定内容は、図５に示す設定画面を用いて、設定することできる。
【００４２】
図５に示す設定画面において、選択項目「切替えイベント」４１にて第１イベントの３つの状態「バッテリ残量７５％」「バッテリ残量５０％」「ＡＣ駆動」を選択することができる。次に選択項目「通常使用状態」４２において第２イベントの「通常使用または復帰時」の設定内容が、段階的な輝度表示（例えば、輝度１、輝度２、輝度３、輝度４、・・・）から選択できる。
【００４３】
次に選択項目「ＬＣＤオフ時間」４３において第２イベントの「無使用状態開始」の設定内容が、段階的な時間表示（０分、１分、２分、５分、１０分、３０分、・・・）から選択できる。次に選択項目「スクリーンセーバ起動中」４４において第２イベントの「メインＬＣＤのクローズ」の設定内容が「表示しない」「（状態変更）なし」等から選択できる。
【００４４】
また「ＰＣのＬＣＤの切替に同期する」という項目４５を選択クリックすることによって、第１イベント及び第２イベントの状態に係わらず、後述するように、ｃＰａｄ２０の表示をメインＬＣＤの表示切替と同調させて、同じ表示状態に切替制御する設定内容となる。
【００４５】
次に、図６は、カレントテーブル３０３を示す図である。図６に示すカレントテーブル３０３では、実行中のイベントとして、現在の第１イベント情報、現在の第２イベント情報、及び現在のｃＰａｄ設定内容を格納領域５１、５２、５３にそれぞれ格納している。
【００４６】
図７は、ノート型パソコンＡにおける表示制御方法を説明するフローチャート図である。
図７に示すように、制御プログラム３００は、外部イベント検知装置からのイベント検知信号やメインＬＣＤ６の状態情報等の外部イベント情報を取得し、この取得した外部イベント情報から、予め設定されている第１イベントあるいは第２イベントの項目が発生したかを判断する（ＳＴ１１）。
【００４７】
例えば、第１イベントに挙げられるように、特に電源コントローラ２１３からの電源供給状況に基づいて、バッテリ駆動からＡＣ電源駆動に切替えられたり、ＡＣ電源駆動からバッテリ駆動に切替えられたり、バッテリ残量が７５％以下となった場合等、第１イベントの項目が発生したと判断する。
【００４８】
また、第２イベントに挙げられるように、スクリーンセーバが起動したり、主表示装置４（メインＬＣＤ６含む）の開閉動作が行われたり、無使用状態であったのが通常使用される状態に変わった場合等、第２イベントの項目が発生したと判断する。ＳＴ１１により、第１及び第２イベントは発生しなかったと判断されると（ＳＴ１２のＮｏ、ＳＴ２１のＮｏ）、本処理を終了する。
【００４９】
ＳＴ１１により、第１イベントが発生したと判断されると（ＳＴ１２のＹｅｓ）、制御プログラム３００はカレントテーブル３０３の第１イベント情報と比較して同じ状態であるかを判断する（ＳＴ１３）。ＳＴ１３の判断の結果、同じ状態であると判断された場合には、カレントテーブル３０３を変更することなく、本処理を終了する（ＳＴ１４のＹｅｓ）。
【００５０】
ＳＴ１３により第１イベント情報と異なる状態であると判断されると（ＳＴ１４のＮｏ）、制御プログラ３００は、発生した第１イベントを現在の第１イベントとしてカレントテーブル３０３の格納領域５１に格納する（ＳＴ１５）。
【００５１】
また、ＳＴ１１により、第２イベントが発生したと判断されると（ＳＴ１２のＮｏ、ＳＴ２１のＹｅｓ）、制御プログラム３００はカレントテーブル３０３の第２イベント情報と比較して同じ状態であるかを判断する（ＳＴ２２）。ＳＴ２２の判断の結果、同じ状態であると判断された場合には、カレントテーブル３０３を変更することなく、本処理を終了する（ＳＴ２３のＹｅｓ）。
【００５２】
ＳＴ２２により第２イベント情報と異なる状態であると判断されると（ＳＴ２３のＮｏ）、制御プログラ３００は、発生した第２イベントを現在の第２イベントとしてカレントテーブル３０３の格納領域５２に格納する（ＳＴ２４）。
【００５３】
次に、制御プログラム３００は、ｃＰａｄ設定テーブル３０１を参照して、現在の第１イベント情報に対応するインデックスにいて、現在の第２イベント情報に対応したｃＰａｄ設定内容を取得し（ＳＴ１６）、カレントテーブル３０３の格納領域５３に格納する（ＳＴ１７）。
【００５４】
ＳＴ１７で格納されたｃＰａｄ設定内容に基いて、制御プログラム３００は、ｃＰａｄ２０の輝度もしくは動作の変更するよう制御して（ＳＴ１８）、処理を終了する。
【００５５】
例えば、カレントテーブル３０３が図６に示す状態である時に、外部イベント検知装置からの信号やメインＬＣＤ設定テーブル３０２の状態から、バッテリ残量が７５％をきり（第１イベント情報に相当）、メインＬＣＤ６が閉じられた（第２イベント情報に相当）という外部イベント情報を取得すると、制御プログラム３００は、図７に示す処理を行った結果、カレントテーブル３０３を図８に示す状態に変更し、ｃＰａｄ２０を「輝度２」で表示している表示制御状態から、「表示しない」ように表示制御することとなる。
【００５６】
本実施例では、ｃＰａｄにおける省電力の表示制御内容をノート型パソコンＡに生じる各種イベント状態に対応させて予め設定しておくことにより、装置全体の状況に応じてｃＰａｄ（ＬＣＤ付きタッチパッド装置）の消費電力を抑えることができる。
【００５７】
次に、図９及び図１０を用いて、メインＬＣＤ６とサブＬＣＤ１１２ｂを連動させた表示切替制御について説明する。図９はメインＬＣＤ６との同期を選択した場合のｃＰａｄ２０の切替設定画面を示す図であり、図１０はノート型パソコンＡにおけるメインＬＣＤ６とサブＬＣＤ１１２ｂを連動させた表示切替制御を説明するフローチャート図である。
【００５８】
図９に示す設定画面において、「ＰＣのＬＣＤの切替に同期する」という項目４５を選択クリックすることによって、選択項目「切替えイベント」４１、「通常使用状態」４２、「ＬＣＤオフ時間」４３、及び「スクリーンセーバ起動中」４４は選択できない状態となる。即ち第１イベント及び第２イベントの状態に係わらず、ｃＰａｄ２０の表示をメインＬＣＤの表示切替と同調させて、同じ表示状態に切替制御する設定内容となる。
【００５９】
図１０に示すように、制御プログラム３００は、メインＬＣＤ設定テーブル３０２の変更情報を取得すると（ＳＴ３１）、ｃＰａｄ２０の表示状態（輝度もしくは動作）をメインＬＣＤ６と同じ表示状態に変更するよう表示制御する（ＳＴ３２）。
【００６０】
本実施例では、ｃＰａｄにおける表示制御を予めノート型パソコンＡのメインＬＣＤにおける省電力の表示制御と連動するように設定する事により、ｃＰａｄ及びその制御プログラムとしてはノート型パソコンＡに生じる各種イベント状態を参考とすることなく、メインＬＣＤの表示状態のみ取得する事により容易にｃＰａｄの省電力表示の制御を行うことができる。
【００６１】
【発明の効果】
以上説明したように、本発明によれば、装置全体の状況に応じてＬＣＤ付きタッチパッド装置の消費電力を抑えることができる。
【図面の簡単な説明】
【図１】本発明の実施形態における情報処理装置であるノート型パーソナルコンピュータＡの外観構成を示す斜視図。
【図２】ノート型パソコンＡのシステム構成を示すブロック図。
【図３】表示切替制御の動作を説明するプログラム構成図。
【図４】ｃＰａｄ２０のサブＬＣＤ１１２ｂのｃＰａｄ設定テーブル３０１を説明する図。
【図５】ｃＰａｄ２０の切替設定画面を示す図。
【図６】ｃＰａｄ２０のカレントテーブル３０３を説明する図。
【図７】ｃＰａｄ２０のサブＬＣＤ１１２ｂの表示切替制御を説明するフローチャート図。
【図８】第１及び第２のイベントが発生した後のｃＰａｄ２０のカレントテーブル３０３を説明する図。
【図９】メインＬＣＤ６との同期を選択した場合のｃＰａｄ２０の切替設定画面を示す図。
【図１０】メインＬＣＤ６とサブＬＣＤ１１２ｂを連動させた表示切替制御を説明するフローチャート図。
【符号の説明】
Ａ　　情報処理装置、ノート型パソコン
１　　情報処理装置およびノート型パソコンの本体
２、３　　情報処理装置およびノート型パソコンのケース
４　　主表示装置
５ａ、５ｂ　　ヒンジ部
６　　メインＬＣＤ
７　　アームレスト
９　　キーボード
１２　　開閉検出部
２０　　副操作部（ｃＰａｄ）
１１２ｂ　　サブＬＣＤ
【図１】
2004110456.tif 000003
【図２】
2004110456.tif 000004
【図３】
2004110456.tif 000005
【図４】
2004110456.tif 000006
【図５】
2004110456.tif 000007
【図６】
2004110456.tif 000008
【図７】
2004110456.tif 000009
【図８】
2004110456.tif 000010
【図９】
2004110456.tif 000011
【図１０】
2004110456.tif 000012